(57)【特許請求の範囲】
【請求項１】
小物を載置可能なトレー部を有した収納部材が設けられ、この収納部材の前面において上下方向にスライドして前記トレー部を開閉するシャッタが設けられている小物収納装置において、前記トレー部の前端部に、上方に立ち上がるとともにシャッタとの間に隙間を有した縦壁フランジが一体に形成され、この縦壁フランジの上端に、前記シャッタ側から前記トレー部に向けて下がる傾斜面が形成されていることを特徴とする小物収納装置。
【請求項２】
請求項１に記載の小物収納装置において、前記シャッタには、このシャッタの前記縦壁フランジの上方に配置されている部位に、前方に向かうにしたがって下方に変位する湾曲部が設けられ、この湾曲部が前記縦壁フランジの上端に近接して配置されていることを特徴とする小物収納装置。
【請求項３】
請求項１または２に記載の小物収納装置において、前記収納部材の開口部下端と有底筒状に凹んで形成されたカップホルダ部との間には、小物を載置する段部に形成された前記トレー部が設けられていることを特徴とする小物収納装置。
【発明の詳細な説明】
【０００１】
【発明の属する技術分野】
本発明は、自動車や電車などの車両に搭載する小物収納装置に関するもので、特に、収納部材分を開閉するシャッタを有した装置に関する。
【０００２】
【従来の技術および発明が解決しようとする課題】
従来、図７（ａ）（ｂ）に示すようなシャッタ付きの小物収納装置が知られている。
この従来装置は、カード・小銭などのいわゆる小物を収納可能なトレー部０１ａを有する収納部材０１と、この収納部材０１を覆うカバー０２と、このカバー０２に開口された開口部０３に沿ってスライドして開口部０３を開閉するシャッタ０４が設けられており、シャッタ０４を開いてトレー部０１ａに収納したカード状の小物Ｃａは、シャッタ０４移動側の水平フランジ０１ｂからシャッタ０４の開口縁０４ａまでの距離０Ｈ間に離れた位置に収納される構成となっている。
【０００３】
このようなシャッタ付きの小物収納装置において、意匠上の制約や設置スペースの制約により、図８（ａ）（ｂ）（ｃ）に示すような縦長形状の収納部材を形成することを考えた場合、本願発明者達は、以下に述べるような新たな解決すべき課題が生じることを見いだした。
まず、図８に示す小物収納装置の構成を簡単に説明すると、０１１がトレー部０１２を有した収納部材であり、０１３がトレーを覆うカバーであり、０１４がカバー０１３に設けられた開口部０１５を開閉するシャッタである。
このように構成された小物収納装置において、トレー部０１２にカード状の小物０Ｃを収納し、シャッタ０１４を閉じたときに、車両の走行振動などで、このカード状の小物０Ｃが、図（ｂ）（ｃ）に示すようにトレー部０１２の前端（シャッタ側の端部）に形成された水平フランジ０１６に乗り上げることがある。この状態から、その後、シャッタ０１４を開くと、カード状の小物０Ｃの先端がシャッタ０１４に引っかかり、シャッタ０１４の移動とともに、シャッタ０１４と水平フランジ０１６との間の隙間から、下方に落下してしまうおそれがある。
この解決手段として、隙間をゴムやスポンジなどの弾性体により埋める手段が考えられるが、この手段にあっては、シャッタの開閉抵抗が大きくなって、操作性が悪化するおそれがある。加えて、弾性体もシャッタとが擦れ合うことにより弾性体が経時劣化するおそれがある。さらに、弾性体を追加する分だけコストアップを招く。
【０００４】
本発明は、シャッタが上下方向にスライドする構成の小物収納装置において、カードなどの薄板状の収納物がトレー部とシャッタとの隙間に入り込む不具合を防止することを、安価であるとともに耐久性に優れた手段により解決することを目的としている。
【０００５】
【課題を解決するための手段】
上述の目的を達成するために請求項１に記載の発明は、小物を載置可能なトレー部を有した収納部材が設けられ、この収納部材の前面において上下方向にスライドして前記トレー部を開閉するシャッタが設けられている小物収納装置において、前記トレー部の前端部に、上方に立ち上がるとともにシャッタとの間に隙間を有した縦壁フランジが一体に形成され、この縦壁フランジの上端に、前記シャッタ側から前記トレー部に向けて下がる傾斜面が形成されていることを特徴とする手段とした。
【０００６】
請求項２に記載の発明は、請求項１に記載の小物収納装置において、請求項１に記載の小物収納装置において、前記シャッタには、このシャッタの前記縦壁フランジの上方に配置されている部位に、前方に向かうにしたがって下方に変位する湾曲部が設けられ、この湾曲部が前記縦壁フランジの上端に近接して配置されていることを特徴とする手段とした。
【０００７】
請求項３に記載の発明は、請求項１または２に記載の小物収納装置において、前記収納部材の開口部下端と有底筒状に凹んで形成されたカップホルダ部との間には、小物を載置する段部に形成された前記トレー部が設けられていることを特徴とする手段とした。
【０００８】
【発明の作用および効果】
請求項１に記載の小物収納装置では、トレー部にカード状の小物を収納してシャッタにより閉じた状態で、振動などによりこのカード状の小物が、トレー部上をシャッタが設けられている前方に移動した場合、トレー部の前端に設けた縦壁フランジに当たってそれ以上の移動が規制される。
したがって、このカード状の小物がシャッタに当接するまで移動することがないため、その後、シャッタを開いたときに、シャッタに引き込まれて落下するという不具合が生じない。
また、走行中の振動やあるいは収納時に、カード状の小物が縦壁フランジに乗り上げて引っかかったとしても、カード状の小物が縦壁フランジに対して引っかかる引っかかり代は極めて小さい。このため、走行中の振動などでトレー部に落下しやすく、隙間に引き込まれ難い。
加えて、縦壁フランジは、シャッタとの間に隙間を有して形成しているため、シャッタを開閉する際の抵抗となることがないとともに、経時劣化を招くこともない。また、トレー部と別体の弾性体などを設けないから、コストアップも抑えることができる。
【０００９】
また、カード状の小物をトレー部に収納したときに、この小物の一部が縦壁フランジに乗り上げるように収納したり、あるいは、極めて大きな振動の入力によりこの小物の一部が縦壁フランジに乗り上げたりしても、縦壁フランジの上端部に、トレー部側に下るように傾斜した傾斜面を形成しているため、カード状の小物は、その自重により、傾斜面にガイドされてトレー部に落下する。この場合、振動が加わると、いっそう落下しやすい。このように、カード状の小物が一端、縦壁フランジの上端部に乗り上げたとしても、傾斜面により落下するため、この小物がシャッタに当接することが無く、よって、シャッタを開いたときにシャッタと縦壁フランジとの間の隙間にカード状の小物が引き込まれるのを、いっそう確実に防止することができる。
【００１０】
また、請求項２に記載の発明では、仮に、カード状の小物が縦壁フランジに乗り上げてシャッタに当接し、この状態で、シャッタを開いて、この小物がシャッタと縦壁フランジとの間の隙間から、下方へ引き込まれようとした場合、小物が平板状であるのに対して、縦壁フランジの上方位置ではシャッタは湾曲形状であるため、小物とシャッタとの間に隙間が生じた状態で、この小物が引っかかる。すなわち、このカード状の小物は、その全体がシャッタに沿う状態にならない。したがって、シャッタのスライドがカード状の小物により規制されて、それ以上スライドさせることができなくなる。よって、カード状の小物がシャッタと共に移動して落下することを確実に防止することができる。
【００１１】
【発明の実施の形態】
以下に、本発明の実施の形態を図面に基づいて説明する。
図１は実施の形態１の小物収納装置の一部を断面で表した斜視図、図２は実施の形態１の小物収納装置を示す縦断面図（図１のＳ２−Ｓ２線による断面）である。
【００１２】
実施の形態１の小物収納装置は、カップホルダと兼用のものであって、この小物収納装置は、図１に示すように、収納部材１とシャッタ２とを備えている。前記収納部材１は、それぞれ樹脂により形成された基体１１とカバー１２との２つの部材により構成されている。前記基体１１の中間部には、略水平に延在された平板状のトレー部１３が形成されている。このトレー部１３は、図示の矢印ＦＲ方向を前面として使用するもので、このトレー部１３の後端縁部から後壁１４が立設され、トレー部１３の左右端縁部から側壁１５が立設され、トレー部１３の前端縁部から縦壁フランジ１６が立設されている。さらに、前記トレー部１３には、飲料容器を収納可能に有底筒状に凹んで形成されたカップホルダ部１７，１７が左右一対設けられている。なお、後壁１４の上端部には後方へ折曲された上端フランジ１４ｆが形成されている。また、前記側壁１５は、その前端面が上方ほど後壁１４に近づく形状、すなわち略逆しの字状に形成されている。さらに、前記縦壁フランジ１６の上端には、図２に示すように、内側に下がる傾斜面１６ｋが形成されている。
【００１３】
前記カバー１２は、前記基体１１を覆うとともに、前記シャッタ２を支持するもので、基体１１に対して直接あるいは間接的に固定されている。また、このカバー１２は、基体１１の縦壁フランジ１６の前面および側壁１５の前端面と後壁１４の上端フランジ１４ｆを覆っており、略鉛直方向に延びる直立部１２ｔと、この直立部１２ｔの上端部から後壁１４の上端フランジ１４ｆに向かって湾曲した湾曲部１２ｗとを有しているとともに、中央には、前記トレー部１３に小物や飲料を出し入れするための開口部１２ｋが形成されている。
【００１４】
前記シャッタ２は、その左右両端部が、前記カバー１２において開口部１２ｋの左右に沿うとともに基体１１の下側に回り込むように延在されたガイドレール（図示省略）にガイドされて上下にスライド可能に支持されている。
このシャッタ２は、樹脂製であり左右方向に長く幅が狭い形状の複数の板片をそれぞれ上下端部で回動可能に連続的に連結するか、あるいは、各板片の上下を折り曲げ可能な連結片により一体に連結して構成されている。したがって、このシャッタ２は、開口部１２ｋが湾曲部１２ｗを有した形状であるのにもかかわらず開口部１２ｋを開閉することが可能であるとともに、図２に示すように、全開時には、基体１１の下側に回り込むことが可能となっている。なお、このように全開時にシャッタ２が基体１１の下側に回り込むようにすることで、開閉に要するスペースを小さくしている。
また、シャッタ２の上端部には、内側にストッパフランジ２１が全幅に亘って、あるいは一部に突出して形成されているとともに、外側の中央部に把持フランジ２２が突出されている。
【００１５】
前記シャッタ２は、図２に示すように、前記縦壁フランジ１６との間に、両者が当接しないように微少な隙間Ｓが設けられている。また、前記縦壁フランジ１６とストッパフランジ２１とは上下方向で係合可能な寸法関係となっている。
【００１６】
次に、実施の形態１の小物収納装置の作用効果について説明する。
トレー部１３に小物や飲料容器を収納する場合には、シャッタ２を下方にスライドさせることで、図１，図２に示すように開口部１２ｋを開いた後、図示を省略した飲料容器の場合には、カップホルダ部１７に挿入して載置し、カードのような小物Ｃは、トレー部１３に載置する。なお、シャッタ２の開方向のスライドは、シャッタ２のストッパフランジ２１が縦壁フランジ１６の上端に当接することにより規制される。
【００１７】
この収納状態において、シャッタ２を上方にスライドさせて開口部１２ｋを閉じて、小物Ｃなどの収納物を隠すことができる。なお、縦壁フランジ１６とシャッタ２との間に隙間Ｓが設けられているため、シャッタ２を開閉させる際に、縦壁フランジ１６が摺動抵抗を与えることはない。
【００１８】
ここで、カード状の小物Ｃを収納した場合、走行中の振動によりトレー部１３において前方（ＦＲ方向）へ移動することがあるが、本実施の形態１では、このカード状の小物Ｃは、縦壁フランジ１６に当接した時点で、これよりも前方に移動することが規制されるため、図３（ａ）に示すように、この小物Ｃがシャッタ２に触れることがない。
したがって、次にシャッタ２を開いたときにカード状の小物Ｃが、シャッタ２の移動に伴って隙間Ｓに引き込まれて落下するといった不具合が生じない。
それに対し、図３（ｂ）に示すように、トレー部１３の前端部に縦壁フランジ１６が無い構成では、カード状の小物Ｃがトレー部１３を前方に移動してシャッタ２に当接した場合、次に、シャッタ２を開く際に、小物Ｃがシャッタ２の移動と共に矢印ＨＫで示す方向から隙間Ｓに飲み込まれてしまい、トレー部１３から落下してしまうおそれがある。
【００１９】
また、本実施の形態１にあっては、トレー部１３にカード状の小物Ｃを収納したとき、あるいは、収納後の走行中の大きな振動により、図４（ａ）に示すように、小物Ｃの一部が縦壁フランジ１６の上端部に乗り上げて引っかかることが、僅かな可能性であるが考えられる。しかし、本実施の形態では、縦壁フランジ１６の上端部に傾斜面１６ｋを形成しているため、このような場合でも、小物Ｃは、自重で矢印Ｒ方向のトレー部１３に落下し、小物Ｃが直接シャッタ２に当接することを防止することができる。よって、その後シャッタ２を開いたときに、このカード状の小物Ｃが、隙間Ｓに飲み込まれるのを確実に防止することができる。また、図４（ｂ）は、縦壁フランジ３１６に傾斜面を形成しない例を示している。この構成でも、上述のように、小物Ｃがトレー部１３上を前方に移動してもシャッタ２に直接当接するのを防止して、その後、シャッタ２を開いたときに、小物Ｃが隙間Ｓに飲み込まれるのを防止することができる。ここで図８（ｃ）に示した従来技術と比較すると、図８（ｃ）の従来技術では、水平フランジ０１６がある分だけ縦壁の端部からシャッタ０１４までの寸法Ｈ２が大きな寸法となっているのに対して、図４（ｂ）の縦壁フランジ３１６に傾斜面を形成しない例では、縦壁フランジ３１６の端縁からシャッタ２までの寸法Ｈ１が小さくなる（Ｈ２＞Ｈ１）。したがって、図４（ｂ）の縦壁フランジ３１６に傾斜面を形成しない例において、図示のように万一、カード状の小物Ｃが縦壁フランジ３１６の上端に乗り上げて引っかかった場合、実施の形態１のように傾斜面１６ｋによりガイドすることはできないが、上述のようにシャッタ２までの寸法Ｈ１が小さいことから、その引っかかり代ｈ１も極めて小さく、カード状の小物Ｃは、走行中の振動などでトレー部１３に落下しやすい。それに対し、図８（ｃ）の従来技術では、図示のようにカード状の小物０Ｃが水平フランジ０１６に乗り上げて引っかかった場合、その引っかかり代ｈ２が大きくなりやすい（ｈ２＞ｈ１となりやすい）。このため、カード状の小物０Ｃは、車両の振動があってもトレー部０１２に落下し難く、場合によってはシャッタ０１４側へ移動してシャッタ０１４に接触した状態となるおそれがあるもので、この場合、シャッタ０１４を開いたときに、小物０Ｃが隙間から落下する可能性がある。
【００２０】
（実施の形態２）次に、実施の形態２の小物収納装置について説明する。なお、実施の形態２について説明するにあたり、実施の形態１と共通する構成には、実施の形態１と同じ符号を付けて説明を省略する。また、作用効果についても、実施の形態１と共通する点については説明を省略し、実施の形態１との相違点について説明する。図５は実施の形態２の小物収納装置を示す斜視図、図６はその縦断面図（図５のＳ６−Ｓ６線における断面）である。
【００２１】
図において２０１が収納部材であり、実施の形態１と同様に、基体２１１とカバー２１２とを備えている。
前記基体２１１の下端部には、トレー部２１３が設けられている。このトレー部２１３は、実施の形態１のカップホルダ部１７が設けられておらず、１枚の略水平な板状に形成されている。
また、側壁２１５は、実施の形態１に比べて、上下方向寸法が小さく抑えられており、略扇型形状に形成されている。
【００２２】
また、カバー２１２も、実施の形態１と比較すると上下寸法が小さく抑えられており、上下方向で全長に亘って湾曲形状に形成されている。
そして、開口部２１２ｋは、上端部から下端部まで側面視で湾曲した形状に形成されている。
したがって、シャッタ２０２は、全閉状態では、上下方向の全長に亘ってカバー２１２に沿って湾曲した形状に形成され、縦壁フランジ１６の上方にはシャッタ２０２の湾曲部Ｗが存在する。
【００２３】
上記のように構成された実施の形態２の小物収納装置にあっては、図６に示すように、縦壁フランジ１６の上方位置にシャッタ２０２の湾曲部Ｗが設けられている。
したがって、トレー部２１３に収納したカード状の小物Ｃが、万一、走行中の振動などにより跳ね上がって縦壁フランジ１６の上端に引っかかり、小物Ｃの一部がシャッタ２０２に当接し、その後、シャッタ２０２を開く際に、縦壁フランジ１６とシャッタ２０２との間の隙間Ｓに引きずり込まれようとした場合、湾曲したシャッタ２０２を弓に例えるとカード状の小物Ｃが弦のような相対位置状態となり、シャッタ２０２と縦壁フランジ１６との間に隙間が形成されて、小物Ｃはシャッタ２０２の形状に追従することが無く、この小物Ｃが隙間Ｓで突っ張る状態となる。
よって、シャッタ２０２のスライドが規制され、シャッタ２０２をスライドさせることができなくなり、カード状の小物Ｃが隙間Ｓに引き込まれるのが防止される。
なお、この場合、シャッタ２０２を閉方向にスライドさせるとともに、上下に揺すると、隙間Ｓに入りかけていたカード状の小物Ｃがトレー部２１３の方向に戻るとともにトレー部２１３に落ちる。よって、その後、シャッタ２０２を開くことができる。
【００２４】
以上のように、実施の形態２の小物収納装置によれば、トレー部２１３の前端部に立設させた縦壁フランジ１６の上方にシャッタ２０２の湾曲部Ｗを設けたため、万一、シャッタ２０２と縦壁フランジ１６との間の隙間Ｓにカード状の小物Ｃが引き込まれようとしても、小物Ｃがシャッタ２０２の湾曲部分に引っかかってシャッタ２０２のスライドを阻害することにより、小物Ｃが隙間Ｓに落ちることを完全に防止することができる。
【００２５】
以上、本発明の実施の形態を図面に基づき説明してきたが、具体的な構成については、この実施の形態に限られるものではなく、特許請求の範囲の各請求項に係る発明の要旨を逸脱しない限り、設計の変更や追加等は許容される。
例えば、実施の形態では、収納部材１，２０１を、それぞれ基体１１，２１１とカバー１２，２１２との２部材で構成し、シャッタ２，２０２のスライドをそれぞれカバー１２，２１２により支持する構成とした。しかし、収納部材は、１部材で構成するようにしてもよい。また、その場合、シャッタのスライド支持は、この１部材の収納部材にガイドを設けるようにしてもよいし、あるいは、収納部材を図外のトリムなどで覆う構成では、このトリムにガイドを設けるようにしてもよい。
また、縦壁フランジの上方にシャッタの湾曲部を近接して配置させるにあたり、実施の形態２では、シャッタ２０２の全体を湾曲させた例を示したが、要は、縦壁フランジ１６の上方に湾曲部Ｗを近接配置させていれば、カード状の小物を引き込もうとしたときにこの小物が引っかかってシャッタのスライドが規制されるものであるから、この縦壁フランジの上方に設けた湾曲部以外は、湾曲させない形状としてもよい。
【図面の簡単な説明】
【図１】実施の形態１の小物収納装置を示す一部を断面で表した斜視図である。
【図２】実施の形態１の小物収納装置を示す断面図（図１のＳ２−Ｓ２線による）である。
【図３】実施の形態１の小物収納装置と従来技術とを比較する断面図である。
【図４】実施の形態１の小物収納装置と他の実施例とを比較する断面図である。
【図５】実施の形態２の小物収納装置を示す一部を断面で表した斜視図である。
【図６】実施の形態２の小物収納装置を示す斜視図である。
【図７】従来技術を示す（ａ）斜視図および（ｂ）断面図である。
【図８】従来技術を示す（ａ）斜視図、（ｂ）断面図、（ｃ）拡大断面図である。
【符号の説明】
１    収納部材
２    シャッタ
１１    基体
１２    カバー
１２ｋ    開口部
１２ｔ    直立部
１２ｗ    湾曲部
１３    トレー部
１４    後壁
１４ｆ    上端フランジ
１５    側壁
１６    縦壁フランジ
１６ｋ    傾斜面
１７    カップホルダ部
２１    ストッパフランジ
２２    把持フランジ
２０２    シャッタ
２１１    基体
２１２    カバー
２１２ｋ    開口部
２１３    トレー部
２１５    側壁
３１６    縦壁フランジ
Ｓ    隙間
Ｗ    湾曲部
【図１】
0004096603.tif 000002
【図２】
0004096603.tif 000003
【図３】
0004096603.tif 000004
【図４】
0004096603.tif 000005
【図５】
0004096603.tif 000006
【図６】
0004096603.tif 000007
【図７】
0004096603.tif 000008
【図８】
0004096603.tif 000009